(57)【要約】【課題】高速回転時の保持器の捩れ変形を防止することができる玉軸受を提供する。【解決手段】玉軸受１０は、内周面に外輪軌道面１１ａを有する外輪１１と、外周面に内輪軌道面１２ａを有する内輪１２と、外輪軌道面１１ａと内輪軌道面１２ａとの間に転動自在に配設される複数の転動体１３と、転動体１３を円周方向に等間隔に保持する保持器１４と、を備え、保持器１４は、転動体１３を転動可能に保持し、円周方向に互いに隣り合うポケット部１５を有し、ポケット部１５は、径方向に円筒形状に形成され、ポケット部１５の内周面の径方向端縁に沿って突起１８を設ける。【選択図】図３
2008190663.tif 000002
【特許請求の範囲】
【請求項１】
内周面に外輪軌道面を有する外輪と、外周面に内輪軌道面を有する内輪と、前記外輪軌道面と前記内輪軌道面との間に転動自在に配設される複数の転動体と、前記転動体を円周方向に等間隔に保持する保持器と、を備える玉軸受であって、
前記保持器は、前記転動体を転動可能に保持し、円周方向に互いに隣り合うポケット部を有し、
前記ポケット部は、径方向に円筒形状に形成され、
前記ポケット部の内周面の径方向端縁に沿って突起を設けることを特徴とする玉軸受。
【請求項２】
前記突起は、前記ポケット部の内周面の径方向端縁の円周方向両側部にそれぞれ設けられることを特徴とする請求項１に記載の玉軸受。
【請求項３】
前記突起は、前記ポケット部の内周面の径方向端縁の全周に亘って設けられることを特徴とする請求項１に記載の玉軸受。
【請求項４】
前記突起は、前記ポケット部の内周面の径方向内側の端縁に設けられることを特徴とする請求項１〜３に記載の玉軸受。
【発明の詳細な説明】
【技術分野】
【０００１】
本発明は、玉軸受に関し、特に、高速回転向けの玉軸受に関する。
【背景技術】
【０００２】
従来の玉軸受としては、図６に示すような玉軸受５０が知られており、この玉軸受５０は、外輪５１と内輪５２との間に転動体である複数の玉５３が配設された深溝玉軸受であり、この複数の玉５３は、図７に示すような円環状の冠型保持器５４を介して円周方向に略等間隔で転動可能に保持される（例えば、特許文献１参照）。
【０００３】
冠型保持器５４は、合成樹脂の射出成形等により形成されており、冠型保持器５４には、複数の玉５３を円周方向に略等間隔で転動可能に保持するポケット部５５が形成され、このポケット部５５の内周面の円周方向両端部には軸方向に突出する一対の爪部５６が設けられる。また、一対の爪部５６，５６間には、開口部５７が形成されており、この開口部５７から玉５３を一対の爪部５６を押し広げつつポケット部５５に押し込むことにより、ポケット部５５内に玉５３が微小な隙間を介して転動可能に保持される。
【０００４】
【特許文献１】特開２００３−３５３１７号公報（第２頁、第８図）
【発明の開示】
【発明が解決しようとする課題】
【０００５】
しかしながら、従来の玉軸受５０に組み込まれる冠型保持器５４は、転動体案内型の保持器であり、開口部５７側と保持器リム側とが軸方向において非対称な断面形状になっているため、近年の高速回転化への対応により、図８に示すように、開口部５７側の軸方向端部に保持器回転（転動体公転）による遠心力が働き、保持器リム側の軸方向端部を捩れ軸とした弾性或いは塑性変形による捩れ変形が生じる可能性があった。
【０００６】
本発明は、このような不都合を解消するためになされたものであり、その目的は、高速回転時の保持器の捩れ変形を防止することができる玉軸受を提供することにある。
【課題を解決するための手段】
【０００７】
本発明の上記目的は、下記の構成により達成される。
（１）  内周面に外輪軌道面を有する外輪と、外周面に内輪軌道面を有する内輪と、外輪軌道面と内輪軌道面との間に転動自在に配設される複数の転動体と、転動体を円周方向に等間隔に保持する保持器と、を備える玉軸受であって、保持器は、転動体を転動可能に保持し、円周方向に互いに隣り合うポケット部を有し、ポケット部は、径方向に円筒形状に形成され、ポケット部の内周面の径方向端縁に沿って突起を設けることを特徴とする玉軸受。
（２）  突起は、ポケット部の内周面の径方向端縁の円周方向両側部にそれぞれ設けられることを特徴とする（１）に記載の玉軸受。
（３）  突起は、ポケット部の内周面の径方向端縁の全周に亘って設けられることを特徴とする（１）に記載の玉軸受。
（４）  突起は、ポケット部の内周面の径方向内側の端縁に設けられることを特徴とする（１）〜（３）に記載の玉軸受。
【発明の効果】
【０００８】
本発明の玉軸受によれば、保持器は、転動体を転動可能に保持し、円周方向に互いに隣り合うポケット部を有し、ポケット部は、径方向に円筒形状に形成され、ポケット部の内周面の径方向端縁に沿って突起を設けるため、保持器の開口部側に生じる保持器リム側の軸方向端部を捩れ軸とした弾性或いは塑性変形による保持器の捩れ変形を抑制することができる。
【発明を実施するための最良の形態】
【０００９】
以下、本発明に係る玉軸受の一実施形態について、図面を参照して詳細に説明する。
図１は本発明に係る玉軸受の一実施形態を説明するための一部切欠斜視図、図２は図１に示す保持器を説明するための斜視図、図３は図２に示す保持器の要部拡大斜視図、図４は保持器の第１変形例を説明するための斜視図、図５は保持器の第２変形例を説明するための斜視図である。
【００１０】
本実施形態の玉軸受１０は、図１に示すように、内周面に外輪軌道面１１ａを有する外輪１１と、外周面に内輪軌道面１２ａを有する内輪１２と、外輪軌道面１１ａと内輪軌道面１２ａとの間に転動自在に配設される複数の玉（転動体）１３と、玉１３を円周方向に等間隔に保持する冠型保持器（保持器）１４と、を備える。
【００１１】
冠型保持器１４は、合成樹脂の射出成形等により一体に形成されており、外輪１１の溝肩部１１ｂの内周面によって案内される外輪案内形式（軌道輪案内形式）とされている。また、図２に示すように、冠型保持器１４には、複数の玉１３を円周方向に略等間隔で転動可能に保持し、円周方向に互いに隣り合うポケット部１５が形成されており、このポケット部１５の内周面の円周方向両端部には軸方向に突出する一対の爪部１６が設けられる。また、一対の爪部１６の各先端間には開口部１７が形成されており、この開口部１７から玉１３を一対の爪部１６を押し広げつつポケット部１５に押し込むことによって、ポケット部１５内に玉１３が微小なすきまを介して転動可能に保持される。
【００１２】
冠型保持器１４の樹脂材料としては、４６ナイロンや６６ナイロンなどのポリアミド系樹脂、ポリブチレンテレフタレート、ポリフェレンサルファイド（ＰＰＳ）、ポリアミドイミド（ＰＡＩ）、熱可塑性ポリイミド、ポリエーテルエーテルケトン（ＰＥＥＫ）、及びポリエーテルニトリル（ＰＥＮ）等を挙げることができる。また、これらの樹脂に１０〜５０重量％の繊維状充填材（例えば、ガラス繊維や炭素繊維など）を適宜添加することにより保持器の剛性および寸法精度を向上させることができる。
【００１３】
そして、本実施形態では、図２及び図３に示すように、ポケット部１５が径方向に円筒形状に形成されると共に、ポケット部１５の内周面の径方向端縁に沿って突起１８が設けられる。この突起１８は、ポケット部１５の内周面の径方向内側の端縁の円周方向両側部にそれぞれ設けられる。
【００１４】
以上説明したように、本実施形態の玉軸受１０によれば、ポケット部１５が径方向に円筒形状に形成され、ポケット部１５の内周面の径方向内側の端縁の円周方向両側部に突起１８がそれぞれ設けられるため、冠型保持器１４が捩れ変形したとしても、玉１４とポケット部１５の内周面とのクリアランスを適正な範囲に保つことができるので、玉１４が保持器１４の一対の爪部１６を押し広げようとする作用を抑制することができ、また、突起１８が玉１３と接触することにより、保持器１４の開きを低減することができる。これらにより、保持器１４の開口部１７側に生じる保持器リム側の軸方向端部を捩れ軸とした弾性或いは塑性変形による保持器１４の捩れ変形を抑制することができる。
【００１５】
また、本実施形態の玉軸受１０によれば、冠型保持器１４は、外輪案内形式（軌道輪案内形式）であるため、高速回転時の保持器１４の安定性を向上することができる。
【００１６】
なお、本実施形態の第１変形例として、図４に示すように、冠型保持器１４の突起１８は、ポケット部１５の内周面の径方向内側の端縁の全周に亘って設けられていてもよい。この場合、玉１３と保持器１４の接触面積が広くなるので、突起１８に掛かる応力を緩和することができる。
【００１７】
また、本実施形態の第２変形例として、図２に示す冠型保持器１４では、その外周面の保持器リム側の案内面と開口部１７側の非案内面との間に段差を設けているが、図５に示すように、冠型保持器１４の外周面の保持器リム側の案内面と開口部１７側の非案内面とを面一にしてもよい。
【図面の簡単な説明】
【００１８】
【図１】本発明に係る玉軸受の一実施形態を説明するための一部切欠斜視図である。
【図２】図１に示す保持器を説明するための斜視図である。
【図３】図２に示す保持器の要部拡大斜視図である。
【図４】保持器の第１変形例を説明するための斜視図である。
【図５】保持器の第２変形例を説明するための斜視図である。
【図６】従来の玉軸受を説明するための要部断面図である。
【図７】図６に示す玉軸受に組み込まれる従来の冠型保持器を説明するための斜視図である。
【図８】従来の冠型保持器に生じる捩れ変形を説明するための要部断面図である。
【符号の説明】
【００１９】
１０      玉軸受
１１      外輪
１１ａ    外輪軌道面
１２      内輪
１２ａ    内輪軌道面
１３      玉（転動体）
１４      冠型保持器（保持器）
１５      ポケット部
１６      爪部
１７      開口部
１８      突起
【図１】
2008190663.tif 000003
【図２】
2008190663.tif 000004
【図３】
2008190663.tif 000005
【図４】
2008190663.tif 000006
【図５】
2008190663.tif 000007
【図６】
2008190663.tif 000008
【図７】
2008190663.tif 000009
【図８】
2008190663.tif 000010